(57)【特許請求の範囲】
【請求項１】
窓の上部壁に固定され、所定の長さを有する固定フレーム（１、１'）と、該固定フレーム（１、１'）の両端部に連結される一対のハウジング部（２）と、該ハウジング部（２）に回転可能に取り付けられる一対の巻取部（４）と、該巻取部（４）に巻き取られる一方、所定長さまで巻きが解かれて巻取部（４）から垂下する開閉調節紐（６）と、前記一対の巻取部（４）を連結し、正、逆方向に回転する開閉用回転棒（３）と、該開閉用回転棒（３）に連結される駆動モータ（９）と、前記ハウジング部（２）の下方に設けられ、前記開閉調節紐（６）により昇降する複数枚のベーン（５）と、前記開閉用回転棒（３）の回転力により前記ベーン（５）の傾斜角を調節する手段とを備えてなり、前記ベーン（５）の傾斜角を調節する手段は、前記開閉用回転棒（３）の一端部に軸方向に連結された回転軸（１１）と、該回転軸（１１）の一端部に回転可能に設けられた第一回転カム（１２）と、該第一回転カム（１２）の下方で回転可能に支持され、前記複数枚のベーン（５）の最上層のベーン（５'）に連結される第二回転カム（１３）と、前記第一回転カム（１２）と前記第二回転カム（１３）に両端部が連結される連結リンク（１４）と、前記第一回転カム（１２）の回転角を制限する手段とを備えてなることを特徴とする電動ブラインド。
【請求項２】
前記第一回転カム（１２）の回転角を制限する手段は、前記第一回転カム（１２）上に、回転方向で所定間隔を有して固定された一対の突起（１２ａ）と、前記第一回転カム（１２）の前記突起（１２ａ）と接触して前記回転軸（１１）の回転力を前記第一回転カム（１２）に伝達するように、前記回転軸（１１）に設けられた係止部（１１'）と、前記ハウジング部（２）に固定され、前記第一回転カム（１２）の突起（１２ａ）の回転角を制限するストッパー（２ａ）とを備えてなることを特徴とする請求項１に記載の電動ブラインド。
【発明の詳細な説明】
【０００１】
【発明の属する技術分野】
本発明は窓に設置されるブラインドに関し、より詳しくはブラインドの開閉及び角度の調節がリモコンにより自動的に行われる電動ブラインドに関するものである。
【０００２】
【従来の技術】
一般に、住宅や事務室等には、私生活保護、採光或いは断熱などのために、カーテン又はブラインドを設置されており、必要に応じてこれを開閉することになる。このような用途に用いられるブラインドは、たいてい垂直型と水平型とに分類される。これらの何れのブラインドにおいても、ベーンの方向、つまりベーンの角度を調節して採光量等を調節するようになっており、ブラインドを開閉する方向が異なる点が相違するだけで、その他の構成は、たいへん似ている。
【０００３】
ところで、従来の手動式ブラインドは、ブラインドの開閉や、ベーンの角度の調節をするには、使用者がブラインドのそばに行き、ブラインドに設けられた操作用の紐を引っ張って操作しなければならないため、操作等をするのに不便であった。
【０００４】
その一方で、このような不便を解消するため、近年においては、リモコンの操作により電気的に動作するように構成された電動ブラインドが提案されている。このような電動ブラインドには、ブラインドのベーンを上下に昇降させて当該ブラインドを開閉するための開閉モータと、ブラインドのベーンの角度を調節するための角度調節モータとを設けなければならないので、全体部品点数が増加し、これにより生産費の高騰を招くといった問題点があった。
【０００５】
【発明が解決しようとする課題】
そこで、本発明は前記のような従来のブラインドの開閉に伴う問題点を改善するためになされたもので、使用者のリモコンの操作により電動でブラインドの開閉、及びベーンの角度の調節を安定した状態で容易に行うことのできる電動ブラインドを提供することにその目的がある。
【０００６】
また、本発明のほかの目的として、ベーンの角度調節のための部品を簡素化して部品点数の減少を図り、製品の生産性向上、及び容易な補修管理を達成することのできる電動ブラインドを提供することにある。
【０００７】
【課題を解決するための手段】
本発明は、上記目的を達成すべくなされたものであり、窓の上部壁に固定され、所定の長さを有する固定フレーム１、１'と、該固定フレーム１、１'の両端部に連結される一対のハウジング部２と、該ハウジング部２に回転可能に取り付けられる一対の巻取部４と、該巻取部４に巻き取られる一方、所定長さまで巻きが解かれて巻取部４から垂下する開閉調節紐６と、前記一対の巻取部４を連結し、正、逆方向に回転する開閉用回転棒３と、該開閉用回転棒３に連結される駆動モータ９と、前記ハウジング部２の下方に設けられ、前記開閉調節紐６により昇降する複数枚のベーン５と、前記開閉用回転棒３の回転力により前記ベーン５の傾斜角を調節する手段とを備えてなり、前記ベーン５の傾斜角を調節する手段は、前記開閉用回転棒３の一端部に軸方向に連結された回転軸１１と、該回転軸１１の一端部に回転可能に設けられた第一回転カム１２と、該第一回転カム１２の下方で回転可能に支持され、前記複数枚のベーン５の最上層のベーン５'に連結される第二回転カム１３と、前記第一回転カム１２と前記第二回転カム１３に両端部が連結される連結リンク１４と、前記第一回転カム１２の回転角を制限する手段とを備えてなることを特徴とする。
【０００８】
【発明の実施の形態】
以下、本発明の好ましい実施例を添付図面に基づいて詳細に説明する。
【０００９】
＜第一実施例＞
図１乃至図５には、本発明の第一実施例による電動ブラインドの開閉及びベーンの角度調節構造が示されている。該電動ブラインドは、図１に示す如く、所定長さに設定された長尺な固定フレーム１を備えており、当該固定フレーム１は、窓の上部壁にネジなどの固着要素によって固着されるものである。該固定フレーム１は、両端部のそれぞれにハウジング部２が取り付けられている。各ハウジング部２は、図３に示す如く、内周面に内ネジ部（雌ネジ部）が形成されており、巻取部４の外ネジ部（雄ネジ部）が当該ハウジング部２の内ネジ部に螺合されている。したがって、前記巻取部４に回転力が加わると、各巻取部４は、当該ハウジング部２に支持されたまま、相互に接離するように水平方向で相対移動することになる。各巻取部４は、開閉用回転棒３の両端部に駆動モータ９からの回転力が伝達可能に嵌着されている。
【００１０】
図２（ｂ）に示す如く、各巻取部４の内周面には、縦方向（嵌着方向）に延びる複数の突条４ａが周方向に一定の間隔で突設されており、開閉用回転棒３の外周面には、前記突条４ａと対応する（嵌め合わせ可能な）結合溝３ａが設けられている。これにより、巻取部４と開閉用回転棒３との間で、回転力が伝達される。
【００１１】
そして、前記巻取部４には、ブラインドのベーン５を上下に昇降させるための開閉調節紐６が巻き取られている。前記開閉調節紐６は、図２（ａ）に示す如く、各ベーン５を貫通しており、前記ベーン５は前後の支持帯７により角度調節可能に支持されている。前後に配された各組の支持帯７は、一定の間隔で固定紐（図示せず）により連結されており、これによって、各ベーン５を一定の間隔で維持させている。
【００１２】
ベーン５の角度調節のための角度調節手段として、開閉用回転棒３の一端には軸方向に回転軸１１が連結されており、該回転軸１１の端部には第一回転カム１２が回転自在に装着されている。前記第一回転カム１２の下方には、第二回転カム１３が配設されており、第一回転カムの回転力を第二回転カム１３に伝達するため、第一及び第二回転カム１２、１３は、連結リンク１４によって連結されている。前記第二回転カム１３のカム軸１３ａは、ベーン５の最上層のベーン５’に回転力を伝達するように連結されている。第二回転カム１３のカム軸１３ａは、支持ブラケット１５により支持されている。
【００１３】
前記第一回転カム１２には、図４に示す如く、二つの突起である突出ネジ１２ａが周方向（回転方向）で所定間隔を有して両側で向かい合うように固定されており、回転軸１１の正、逆方向の回転力を第一回転カム１２に伝達することができるように、回転軸１１には、両端に係止部１１’を有するコイルスプリングが巻かれている。また、回転軸１１の回転角を１８０°以内に制限すべく、ストッパー２ａがハウジング部２に突設されている。
【００１４】
つぎに、上記構成の電動ブラインドの動作及び作用効果を説明する。
【００１５】
使用者がリモコン又は電源スイッチなどを用いて電源信号を印加すると、駆動モータ９が駆動して開閉用回転棒３が正回転する。これにより、ハウジング部２に螺合された両側の巻取部４が回転し、当該巻取部４に巻き取られている開閉調節紐６の巻きが徐々に解かれることとなる。
【００１６】
巻取部４の回転中において、各ハウジング部２は、固定位置で維持するのに対し、該ハウジング２に螺合された当該巻取部４は、略水平方向に徐々に移動することとなる。その結果、開閉調節紐６が巻取部４の外周面における軸心方向の所定区間に巻き取られているとしても、開閉調節紐６は、巻取部４での巻き取り位置、及び巻きの解ける位置が常に一定に維持され、これにより、動作中に開閉調節紐６が縺れるなどの問題点を防止することができる。
【００１７】
このように開閉調節紐６が、巻取部４から巻きが解かれる（引き出される）と、それぞれのベーン５が順次広がりながら下降し、図１及び図５（ａ）に示す如く、窓を遮る状態になる。
【００１８】
そして、遮断されている窓を開放させるべく、ブラインド（ベーン５）を上昇させる場合、図５（ｂ）に示す如く、駆動モータ９に反対駆動信号を印加して開閉用回転棒３を逆回転させると、当該開閉用回転棒３の逆回転に伴って、巻取部４も逆方向に回転し、開閉調節紐６が巻取部４に徐々に巻き取られることとなる。したがって、ベーン５が下の方から順次積層状態になりながら上昇することになる。
【００１９】
上述の如く、巻取部４が固定フレーム１に固定されたハウジング部２に螺合されているので、上述のように開閉調節紐６の巻き取り動作が行われる間、巻取部４は、回転前記巻きを解く動作とは反対の方向で水平に移動する。したがって、開閉調節紐６は巻取部４の外周面上に均一等に巻き取られることになる。
【００２０】
本発明の電動ブラインドは、開閉用回転棒３の回転力によりベーン５の角度調節ができるようになっている。その動作を図３、図５（ａ）及び図５（ｂ）に基づいて以下に説明する。
【００２１】
駆動モータ９の動作により開閉用回転棒３が初期回転すると、開閉用回転棒３の回転力が回転軸１１に伝達される。この際、回転軸１１上に巻き付けられて（外嵌されて）いるコイルスプリングの係止部１１’が、第一回転カム１２に突設された突出ネジ１２ａと当接して押すことにより、回転軸１１の回転力が第一回転カム１２に伝達される。この際、コイルスプリングの係止部１１’の回転は、ストッパー２ａにより規制されるので、回転軸１１の回転角が１８０°の範囲で制限される。
【００２２】
そして、前記第一回転カム１２の回転力は連結リンク１４を介して第二回転カム１３に伝達され、第二回転カム１３のカム軸１３ａが共に回転することにより、当該カム軸１３ａに連結された最上層のベーン５’の角度が変化することになる。したがって、最上層のベーン５’よりも下方のベーン５は支持帯７の作用により、最上層のベーン５’と同一角度に調節される。
【００２３】
複数枚のベーン５は、下降する際に、図５（ａ）に示す如き傾斜角度で傾斜状態を維持し、上昇する際に、図５（ｂ）に示す如く図５（ａ）に示した傾斜に対して反対に傾斜して維持することになる。
【００２４】
この動作において、前記開閉用回転棒３に連結された回転軸１１の回転は、前記ストッパー２ａにより所定角度範囲内で制限されるが、開閉用回転棒３は継続して回転しながら巻取部４を回転させることになる。これにより、開閉調節紐６は引き続き巻き取られ、或いは、巻きが解かれることになる。
【００２５】
したがって、ベーン５の角度調節には開閉用回転棒３の初期回転力のみが作用し、その後の回転力はベーン５の開閉だけに作用することになる。
【００２６】
＜第一参考例＞
以下、本発明の第一参考例にかかる電動ブラインドについて、図６乃至図１１を参照しつつ説明する。
【００２７】
ハウジング部２及び開閉用回転棒３は、図６に示す如く、第一実施例と同様に、所定長さに設定された長尺な固定フレーム１’内に装着されている。開閉用回転棒３の一端部には、当該開閉用回転棒３に回転力を伝達する駆動モータ９が連結されている。開閉用回転棒３には、両端部に開閉調節紐６を巻き取り、或いは巻き取った開閉調節紐６の巻きを解くことにより、ベーン５を上昇、又は下降させる巻取部４が設けられている。
【００２８】
そして、前記開閉用回転棒３には、当該開閉用回転棒３と共に回転するように回転リング１０が外嵌されて取り付けられている。かかる回転リング１０は、図７に示す如く、開閉用回転棒３の外周面に形成された結合溝３ａ（図１０）に嵌合可能な結合突起１０ａが内周面に突設されており、これにより、当該回転リング１０は、開閉用回転棒３と共に回転するようになっている。
【００２９】
回転リング１０は、更に外周面にＶ字形溝１０ｂが円周方向に形成されている。図８及び図９に示す如く、前記Ｖ字形溝１０ｂには、ベーン５の角度調節のための角度調節紐２１が、両端部を垂下させて巻き付けられている。前記角度調節紐２１の両端のそれぞれは、最上層のベーン５’の前（室内側）後（窓側）方向の両端部に連結されている。前記角度調節紐２１のうち、窓側の角度調節紐２１ａ（角度調節紐２１の一端部）には、最上層のベーン５’と回転リング１０間に一定の間隔を維持するための間隔維持部材（スペーサー）として、複数のボール２２が設けられている。すなわち、回転リング１０と最上層のベーン５’の間に位置する窓側の角度調整紐２１は、多数のボール２２に挿通された状態をなしている。
【００３０】
前記固定フレーム１’の中間には、図１０に示す如く、高さ調節可能な調節ネジ１６を介して傾斜量調節ワイヤー２５の一端部が連結され、該傾斜量調節ワイヤー２５の他端が最上層のベーン５’に連結されている。
【００３１】
以下、第一参考例にかかる電動ブラインドの動作及び作用効果について説明する。
【００３２】
使用者がリモコン又は電源スイッチなどを用いて電源信号を印加すると、駆動モータ９が動作し、開閉用回転棒３が正回転する。そうすると、ハウジング部２に螺合されている各巻取部４が開閉用回転棒３と共に回転し、巻取部４に巻き取られている開閉調節紐６の巻きが徐々に解かれる（引き出される）こととなる。
【００３３】
このように開閉調節紐６が、巻取部４から巻きが解かれると、各ベーン５が徐々に下降しながら窓を遮ることになる。この際、回転リング１０は、開閉用回転棒３と共に回転し、当該回転リング１０のＶ字形溝１０ｂに巻き付けられている角度調節紐２１が一方（窓側）に偏ることとなり、図９に示す如く、ベーン５が所定角度で傾斜して維持することになる。
【００３４】
ベーン５が所定の斜角を維持した状態では、前記回転リング１０が継続して回転しても、角度調節紐２１は一端側に偏っているため、当該角度調節紐２１は、回転リング１０のＶ字形溝１０ｂ上でスライドすることになる。
【００３５】
使用者の操作により開閉用回転棒３が逆回転すると、各巻取部４が逆方向に回転して当該巻取部４に開閉調節紐６が徐々に巻き取られ、これにより、ベーン５は下方側から順次積層状態になって上昇する。
【００３６】
この際、回転リング１０が開閉用回転棒３から逆回転力を受けて、図８に示す如く、逆方向に回転するが窓側の角度調節紐２１ａには複数のボール２２が設けられているので、ベーン５は水平状態を維持したままで積層状態になりながら上昇することになる。
【００３７】
すなわち、回転リング１０の逆方向の回転により、角度調節紐２１に逆方向の引張力が作用しても、角度調整紐２１の窓側の端部２１ａは、ベーン５が水平状態となるまで上昇する。そうすると、最上層のベーン５’と固定フレーム１との間に挟まれたボール２２により、角度調整紐２１が更に上昇することができなくなり、最上層のベーン５’と固定フレーム１との間が所定間隔（Ｄ）で維持されることとなる。したがって、ベーン５が水平状態になって最上層のベーン５’と固定フレーム１との間が所定間隔（Ｄ）に到達した後は、回転リング１０が角度調節紐２１を引くことなしで空回転することになる。
【００３８】
固定フレーム１’の中間部には、ベーン５の傾斜角を調節すべく、調節ネジ２６を介して傾斜量調節ワイヤー２５の一端部が連結され、傾斜調整ワイヤー２５の他端部が最上層のベーン５’に連結されている。
【００３９】
したがって、図１０に示す如く、最上層のベーン５’に一端が連結された傾斜量調節ワイヤー２５が、ぴんと張った状態となると、ベーン５の傾斜角度が比較的小さくなる。他方において、図１１に示す如く、調節ネジ２６を緩めて傾斜量調節ワイヤー２５を少し緩んだ状態とすると、ベーン５の傾斜角度が増加することになる。
【００４０】
＜第二参考例＞
以下、本発明の第二参考例にかかる電動ブラインドについて、図１２乃至図１４を参照しつつ説明する。
【００４１】
開閉用回転棒３には、図１２乃至図１４に示す如く、当該開閉用回転棒３と共に回転可能に回転リング１０が取り付けられ（嵌合され）ている。該回転リング１０は、ベーン５の角度調節のための角度調節紐２１’が、両端部を垂下させて巻き付けられており、その垂下した両側部分が、各ベーン５の前後方向の両端に接続されている。
【００４２】
すなわち、第一実施例及び第一参考例においては、ベーン５の最上部に板状の最上層のベーン５'を配置し、該最上層のベーン５'の前側及び後側からテープ状の支持帯７を垂設することにより、全てのベーン５に対する角度調節がなされているが、本参考例によると、前記最上層のベーン５'が不要になるので、製造原価を低減することができ、また、ブラインドの外観がより良好なものになる。
【００４３】
さらに、開閉調節紐６を前記支持帯７に相当する垂下した角度調節紐２１’の両側部分に対応した位置に案内するとともに前記ハウジング部２を保持するための複数のガイドピン２８が前記固定フレーム１’に固着されている。これにより、ブラインドの前方から見て、前記開閉調節紐６と角度調節紐２１’とが一致した（重なり合った）状態となるので、ブラインドの外観が一層改善され、また開閉角の調節が容易になる。
【００４４】
図１５及び図１６には、前記固定フレーム１’を壁体（上壁部）に固定する支持ブラケットである固定ブラケット３０の構造が示されている。該固定ブラケット３０は、固定フレーム１’を収容できるように下向きに開放した（下向きの開口が形成された）逆Ｕ字形のブラケット本体３１と、前記固定フレーム１’を支持すべく、前記ブラケット本体３１の開口端縁部に着脱可能に締結される締結片３５とを備えている。
【００４５】
前記ブラケット本体３１の一端部には、締結片３５を締結のための切開スリット３２が水平方向に形成され、他端部には係合突部３３が設けられている。前記締結片３５は、一端部にブラケット本体３１の前記切開スリット３２に挿入される挿入スリット３６が形成され、他端部に前記係合突部３３が結合されるように、所定幅（ｄ）に設定された切取部３７が形成されている。
【００４６】
つぎに、前記支持ブラケット３０を用いる電動ブラインドの設置作業を説明する。電動ブラインドを設置すべき位置である窓の上方の壁面（上部壁）に支持ブラケット３０を固定するため、まず、ブラケット本体３１をネジのような固定手段で壁面に堅く固定する。そして、複数枚のベーン５を支持する固定フレーム１’をブラケット本体３１の開口部内に挿入して適切な位置に配置する。その後、ブラケット本体３１の前記開口端縁部に締結片３５を締結させることにより、固定フレーム１’が所定の高さで支持されることになる。
【００４７】
この過程をより詳細に説明すると、締結片３５の一端部に形成された切取部３７を係合部３３に嵌め合わせた後、締結片３５の他端部に形成された挿入スリット３６をブラケット本体３１の切開スリット３２に結合させることにより、固定フレーム１’がしっかりした状態で組み上がることになる。
【００４８】
すなわち、締結片３５の切取部３７を係合突部３３のスリットにスライド挿入した後に、当該締結片３５を図において反時計方向に９０°回転させることにより、ブラケット本体３１に形成された切開スリット３２に締結片３５の挿入スリット３６が水平方向に結合（組み合わ）されるとともに、前記切取部３７の両側縁部が係合突部３３に掛かることになる。その結果、締結片３５がブラケット本体３１の両端部に堅く締結されることとなる。
【００４９】
したがって、支持ブラケット３０を迅速且つ容易に壁部に取り付けることができ、その結果、図６に示す如く、固定フレーム１’を安定して支持することができる。
【００５０】
一方、ブラインドの補修、保管、清掃、或いは撤収のために当該ブラインドを取り外す場合には、上述した取り付け手順とは逆の手順で行う。すなわち、ブラケット本体３１から締結片３５を分離させることで、ブラインドを壁面から容易に取り外すことができる。
【００５１】
尚、本発明の電動ブラインドは、上記実施形態に限定されるものではなく、本発明の要旨を逸脱しない範囲内において種々変更を加え得ることは勿論である。
【００５２】
【発明の効果】
以上説明したように、本発明の電動ブラインドは、ブラインドが電動式で作動され、開閉調節紐によりブラインドの開閉動作がより効果的に行われるので、使用の利便性及び製品の信頼性を向上させることができる。
【００５３】
特に、本発明によると、一つの駆動モータを用いてブラインドの開閉及び角度調節が行えるので、全体構造の単純化による生産費の節減の効果を得ることができる。
【００５４】
また、固定フレームを支持する支持ブラケットが、ブラケット本体と締結片とで構成され、特別に工具を用いることなく、容易に組立及び分解を行えるので、誰にでもブラインドの設置及び取り外しを容易に行えるといった効果を有する。
【図面の簡単な説明】
【図１】  本発明の第一実施例にかかる電動ブラインドの斜視図を示す。
【図２】  （ａ）は、図１のＡ部の拡大斜視図を示し、（ｂ）は、図１のＢ部の拡大斜視図を示す。
【図３】  同実施形態にかかる電動ブラインドの要部の拡大断面図を示す。
【図４】  同実施形態にかかる電動ブラインドの第一回転カムの背面斜視図を示す。
【図５】  （ａ）は、同実施形態にかかる電動ブラインドのベーンの下降時の作動状態での側面図を示し、（ｂ）は、同実施形態にかかる電動ブラインドのベーンの上昇時の作動状態での側面図を示す。
【図６】  本発明の第一参考例にかかる電動ブラインドの斜視図を示す。
【図７】  第一参考例の回転リングの斜視図を示す。
【図８】  第一参考例にかかる電動ブラインドの上昇動作時の状態での側面図を示す。
【図９】  第一参考例にかかる電動ブラインドの下降動作時の状態での側面図を示す。
【図１０】  第一参考例にかかる電動ブラインドの傾斜量調節ワイヤーの調節前の状態での断面側面図を示す。
【図１１】  第一参考例にかかる電動ブラインドの傾斜量調節ワイヤーの調節後の状態での断面側面図を示す。
【図１２】  本発明の第二参考例にかかる電動ブラインドの斜視図を示す。
【図１３】  図１２の円部の拡大斜視図を示す。
【図１４】  図１２の電動ブラインドの開閉角調節構造を示す断面図を示す。
【図１５】  本発明にかかる実施例の支持ブラケットの分解斜視図を示す。
【図１６】  本発明にかかる実施例の支持ブラケットの組立斜視図を示す。
【符号の説明】
１、１'…固定フレーム、２…ハウジング部、２ａ…ストッパー、３…開閉用回転棒、３ａ…結合溝、４…巻取部、４ａ…突条、５…ベーン、５'…最上層のベーン、６…開閉調節紐、７…支持帯、９…駆動モータ、１０…回転リング、１１…回転軸、１１'…係止部、１２…第一回転カム、１２ａ…突出ネジ（突起）、１３…第二回転カム、１４…連結リンク、２１…角度調節紐、２２…ボール（間隔維持部材）、２５…傾斜量調節ワイヤー、２６…調節ネジ、２８…ガイドピン、３０…固定ブラケット（支持ブラケット）、３１…ブラケット本体、３２…切開スリット、３３…係合突部、３５…締結片、３６…挿入スリット、３７…切取部
【図１】
0003896342.tif 000002
【図２】
0003896342.tif 000003
【図３】
0003896342.tif 000004
【図４】
0003896342.tif 000005
【図５】
0003896342.tif 000006
【図６】
0003896342.tif 000007
【図７】
0003896342.tif 000008
【図８】
0003896342.tif 000009
【図９】
0003896342.tif 000010
【図１０】
0003896342.tif 000011
【図１１】
0003896342.tif 000012
【図１２】
0003896342.tif 000013
【図１３】
0003896342.tif 000014
【図１４】
0003896342.tif 000015
【図１５】
0003896342.tif 000016
【図１６】
0003896342.tif 000017